(57)【要約】【課題】  メダル貯留タンクを上部筐体の内壁に沿うように形成することができ、スペースの有効利用が図れ、しかも、緩衝プレートにより、メダルがメダル払出装置に負荷として作用することが少なく、さらに、シャッターの差込の際にホッパータンクから収納部内に落とされたメダルは、収納部前方に転送され、収納部から取り出し易く、しかも引き抜く際に、隔壁の上部にメダルを残すこともなく、メダル払出装置の収納部への取り外し、取り付を容易にするころができるメダル貸機を提供する。【解決手段】  上部筐体には、前記メダル通過孔の前部略半分を覆うように配設された緩衝プレートとメダル貯溜タンクの奥壁から前記メダル通過孔の後端縁に臨むように突出された傾斜プレートと前記隔壁に形成されたメダル通過孔の両側縁部周囲に前記メダル通過孔の中心方向に下り傾斜した傾斜面を設けるとともに収納部の奥上部ならびに奥下部の両角にメダル貸機下方方向に下り傾斜した滑降面を設けたものである。【選択図】図２
2008012253.tif 000002
【特許請求の範囲】
【請求項１】
スロットマシンに隣設され、貨幣の投入によりメダルを払い出すメダル貸機において、前記メダル貸機は、メダル供給口を有するメダル貯留タンクとメダル払出装置を内設した収納部と前記メダル貯留タンクと収納部の間に設けられ、前記メダル貯留タンクと収納部を連通させるメダル通過孔を形成した隔壁とを備えた上部筐体と、紙幣識別装置を内設した下部筐体とよりなり、前記上部筐体には、前記メダル通過孔の前部略半分を覆うように配設された緩衝プレートとメダル貯溜タンクの奥壁から前記メダル通過孔の後端縁に臨むように突出された傾斜プレートと前記隔壁に形成されたメダル通過孔の両側縁部周囲に前記メダル通過孔の中心方向に下り傾斜した傾斜面を設けるとともに収納部の奥上部ならびに奥下部の両角にメダル貸機下方方向に下り傾斜した滑降面を設けた
ことを特徴とするメダル貸機。
【請求項２】
前記滑降面は、収納部奥部に配設された制御ボックスの上方に形成された上部滑降面と、該制御ボックスの両側下部に形成された側部滑降面とで構成された
ことを特徴とする請求項１項記載のメダル貸機。
【発明の詳細な説明】
【技術分野】
【０００１】  本発明は、メダル貸機、特にメダル貸機に供給、貯留されたメダルを払出するメダル払出装置の取り出しを容易に行なうことができるメダル貸機に関する。
【背景技術】
【０００２】  従来、メダル貯留タンク、メダル払出装置、紙幣識別装置などを備えたメダル貸機、例えば、特開２００２−４５５６１「メダル貸出機」（特許文献１）は、メダル貸出機Ｍの本体１内部を、上から順にカード処理装置９（本発明の紙幣識別装置に相当する。）を配設したカード処理部Ｍ１と、ホッパ７を備えたメダル繰出し装置６（本発明のメダル払出装置に相当する。）を収容したメダル処理部Ｍ２及び電源装置（図示されていない）を配設した電源部Ｍ３から構成されている。そして、ホッパ７には、補給口３Ａから貸出用のメダルが供給される。ところが、このような構成のメダル貸出機にあっては、近年の様に、店舗の大型化に伴って、遊技機（スロットマシン）が多く設置される傾向にあったり、メダルの貸出量が増加したりすることによって、必然的にホッパ７のメダル貯留量も多くなり、メダル繰出し装置６全体の重量が増し、故障、その他のトラブルでメダル繰出し装置６を取り出すときに、その取り出しが容易に行なわれないと言う問題が生じていた。これらの問題点を解消するために、すでに、実開平４−５８８７「スロットマシンのメダル払出機」（特許文献２）に開示されているように、先の先行技術のメダル繰出し装置６に相当する払出機本体１２のメダルプール部１９とは別にホッパ部１１を設け、メダル繰出し装置６全体の重量を軽減して、メダル繰出し装置６の取り出しを容易にしたメダル貸機が開発されている。すなわち、このメダル貸機では、ホッパ部１１のメダル落し口１１ｂとメダルプール部１９との間に仕切り板２２の差込用の差込部材（図示されてない）を設け、保守や修理の際に前述の差込部材（図示されてない）に仕切り板２２を差込んで、ホッパ部１１からのメダルの落下を阻止し、ホッパ部１１と払出機本体１２とを分離した後に払出機本体１２をハウジングＨから取外している。この時には、メダルプール部１９に貯留されているメダルの重量が払出機本体１２に加算されるだけで、全体として比較的軽量となり、取扱いも容易となっている。【０００３】  しかしながら、特許文献２に開示された構造では、ホッパ部１１に供給されたメダルがメダルプール部１９内にスムースに落とし込まれるようにホッパ部１１の下部を漏斗状形成する必要があり、矩形状のハウジングＨの内側スペースを有効に活用することができずメダルの貯留量も比較的少なくなる傾向にあった。また、開閉扉１３から投入されたメダルが直接メダルプール部１９内に投入されるため、メダルの投入量が多いと払出機本体１２への負荷が大きくなり作動障害を起こすような場合があった。さらに、仕切り板２２を差込む際に、メダルプール部１９内に満ちているメダルをハウジングＨ内に落としたり、引き抜く際に、差込部材の上部にあるメダルがメダルプール部１９内に全て貯留されハウジングＨ内にこぼれたりする恐れがあった。とくに、ハウジングＨ内の落とされたメダルは、ハウジングＨの奥に滞留して、払出機本体１２の取り付の際に払出機本体１２が定位置に設置し難い等の障害が生じる場合があった。また、そのメダルを取り除くためには、ハウジングＨの奥まで手を差込む必要があり、煩わしさがともなう結果となっていた。【０００４】
【特許文献１】  特開２００２−４５５６１「メダル貸出機」
【特許文献２】  実開平４−５８８７「スロットマシンのメダル払出機」
【発明の開示】
【発明が解決しようとする課題】
【０００５】  本発明は、スロットマシンに隣設され、貨幣の投入によりメダルを払い出すメダル貸機において、前記メダル貸機は、メダル供給口を有するメダル貯留タンクとメダル払出装置を内設した収納部と前記メダル貯留タンクと収納部の間に設けられ、前記メダル貯留タンクと収納部を連通させるメダル通過孔を形成した隔壁とを備えた上部筐体と、紙幣識別装置を内設した下部筐体とよりなり、前記上部筐体には、前記メダル通過孔の前部略半分を覆うように配設された緩衝プレートとメダル貯溜タンクの奥壁から前記メダル通過孔の後端縁に臨むように突出された傾斜プレートと前記隔壁に形成されたメダル通過孔の両側縁部周囲に前記メダル通過孔の中心方向に下り傾斜した傾斜面を設けるとともに収納部の奥上部ならびに奥下部の両角にメダル貸機下方方向に下り傾斜した滑降面を設けることにより、メダル貯留タンクを上部筐体の内壁に沿うように形成することができ、スペースの有効利用が図れ、しかも、緩衝プレートにより、メダルがメダル払出装置に負荷として作用することが少なく、さらに、シャッターの差込の際にホッパータンクから収納部内に落とされたメダルは、収納部前方に転送され、収納部から取り出し易く、しかも引き抜く際に、隔壁の上部にメダルを残すこともなく、メダル払出装置の収納部への取り外し、取り付を容易にすることができるメダル貸機を提供することを目的とする。
【課題を解決するための手段】
【０００６】  上記の課題を解決するために、本発明は、スロットマシンに隣設され、貨幣の投入によりメダルを払い出すメダル貸機において、前記メダル貸機は、メダル供給口を有するメダル貯留タンクとメダル払出装置を内設した収納部と前記メダル貯留タンクと収納部の間に設けられ、前記メダル貯留タンクと収納部を連通させるメダル通過孔を形成した隔壁とを備えた上部筐体と、紙幣識別装置を内設した下部筐体とよりなり、前記上部筐体には、前記メダル通過孔の前部略半分を覆うように配設された緩衝プレートとメダル貯溜タンクの奥壁から前記メダル通過孔の後端縁に臨むように突出された傾斜プレートと前記隔壁に形成されたメダル通過孔の両側縁部周囲に前記メダル通過孔の中心方向に下り傾斜した傾斜面を設けるとともに収納部の奥上部ならびに奥下部の両角にメダル貸機前方方向に下り傾斜した滑降面を設けたものである。【０００７】  上記のように構成することにより、本発明は、メダル貯留タンクを上部筐体の内壁に沿うように形成することにより、スペースの有効利用が図れ、しかも、緩衝プレートにより、メダルがメダル払出装置に直接負荷として作用することが少なく、さらに、シャッターの差込の際にホッパータンクから収納部内に落とされたメダルは、収納部前方に転送され、収納部から取り出し易く、しかも引き抜く際に、隔壁の上部にメダルを残すこともなく、メダル払出装置の収納部への取り外し、取り付を容易にすることができる。【０００８】  次の発明は、前記滑降面は、収納部奥部に配設された制御ボックスの上方に形成された上部滑降面と、該制御ボックスの両側下部に形成された側部滑降面とで構成されたものである。【０００９】  上記のように構成することにより、本発明は、収納部奥部に突出して設けられた制御ボックスの上部に落下したメダルも滑降面上を滑降して収納部前方へ転送されるので容易にメダルを取り出せる。そして、その後にメダル払出装置を収納部内に容易に配設することができる。
【発明の効果】
【００１０】  本発明は、スロットマシンに隣設され、貨幣の投入によりメダルを払い出すメダル貸機において、前記メダル貸機は、メダル供給口を有するメダル貯留タンクとメダル払出装置を内設した収納部と前記メダル貯留タンクと収納部の間に設けられ、前記メダル貯留タンクと収納部を連通させるメダル通過孔を形成した隔壁とを備えた上部筐体と、紙幣識別装置を内設した下部筐体とよりなり、前記上部筐体には、前記メダル通過孔の前部略半分を覆うように配設された緩衝プレートとメダル貯溜タンクの奥壁から前記メダル通過孔の後端縁に臨むように突出された傾斜プレートと前記隔壁に形成されたメダル通過孔の両側縁部周囲に前記メダル通過孔の中心方向に下り傾斜した傾斜面を設けるとともに収納部の奥上部ならびに奥下部の両角にメダル貸機下方方向に下り傾斜した滑降面を設けることにより、メダル貯留タンクを上部筐体の内壁に沿うように形成することにより、スペースの有効利用が図れ、しかも、緩衝プレートにより、メダルがメダル払出装置に負荷として作用することが少なく、さらに、シャッターの差込の際にホッパータンクから収納部内に落とされたメダルは、収納部前方に転送され、収納部から取り出し易く、しかも引き抜く際に、隔壁の上部にメダルを残すこともなく、メダル払出装置の収納部への取り外し、取り付を容易にすることができる。
【発明を実施するための最良の形態】
【００１１】  以下、本発明を実施するための最良の形態を、図面に基づいて説明する。図１は、本発明のメダル貸機を示した正面図、図２は、本発明のメダル貸機を示した側面図、図３は、隔壁部分斜視図である。【００１２】  本発明のメダル貸機１は、遊技機であるスロットマシン（図示しない）に隣設され、遊技者の要求に基づいてメダルを貸出している。【００１３】  本発明のメダル貸機１は、縦長の矩形箱形状を成す上部筐体１０と下部筐体２０とを備え、それらを上下に配置して継ぎ手３０で結合固定している。【００１４】  上部筐体１０は、更に、隔壁５０によって、上下に分割され、上部にメダル貯留タンク１１を配置するとともに下部にメダル払出装置４０の収納部１５が画成し、裏面に背板１８を設けている。そして、内部にメダル払出装置４０とその制御ボックス４２ならびに払出用フロントパネル１６に形成された払出部１６１の内部に設けられている払出コンベア（図示しない）の制御部１６２が配設されている。【００１５】  メダル貯留タンク１１の前面には、開口１１１が形成され、その部分に供給用フロントパネル１３が開閉可能（図２矢印ａ−ａ）に取付けられている。そして、この供給用フロントパネル１３の裏面には、メダル供給口１２が一体に設けられている。このメダル供給口１２は、供給用フロントパネル１３が閉じている状態ではメダル貯留タンク１１の内部に収納されている。そして、この状態においては、メダル供給口１２のメダルの投入口１２１は、上方を向いている。この状態から下部を支点として供給用フロントパネル１３を前方へ回転させると、開口１１１が開放され、その部分に投入口１２１が露出する。メダルは、この投入口１２１から投入され、メダル供給口１２の傾斜面に沿って滑降して、後述する隔壁５０に形成されているメダル通過孔５１を通過してメダル払出装置４０のホッパータンク４１内に供給される。尚、供給用フロントパネル１３は、通常は、留め金形式の鍵１４で上部筐体１に施錠固定され、メダルの供給時に解錠される。【００１６】  収納部１５は、長矩形の箱形状を成し、内部で上下に分割され、前面開口に払出用フロントパネル１６が取り外し可能に取付けられている。また、背板１８には、メダル払出装置４０の制御ボックス４２を有する裏蓋１７が同様に取り外し可能に取付けられている。前述の上段部分には、メダル払出装置４０が着脱可能に配設され、裏蓋１７に形成された制御ボックス４２は、このメダル払出装置４０の後部と背板１８の間に配置される。また、下段部分には、払出用フロントパネル１６に形成された払出部１６１の内部に設けられている払出コンベア（図示しない）の制御部１６２が配設されている。【００１７】  前述の払出用フロントパネル１６は、上部筐体１０に画成された収納部１５の前面開口に取り外し可能に取付けられ、常時は、その前面開口を覆っている。そして、払出用フロントパネル１６の前面中央部には、払出コンベア（図示しない）を内設した払出部１６１が突設され、払出部１６１の下方には、不要メダル貯留部１６３が設けられている。この払出用フロントパネル１６は、供給用フロントパネル１３を開いた状態のときに取外すことができるように収納部１５の前面開口���分に取付けられている。【００１８】  メダル払出装置４０は、上部にホッパータンク４１が、下部に払出機４３が備えられていて、収納部１５の上段部分に取り外し可能に配設されている。この払出機４３の制御は、背板１８に取り外し可能に取付けられた裏蓋１７に形成されている制御ボックス４２内に収納されている。【００１９】  下部筐体２０の内部には、紙幣収納部を有する紙幣識別装置６０とその制御部６１が配設され、前面開口部を識別装置収納部フロントパネル２１で開閉可能に覆っている。尚、２２は、識別装置収納部フロントパネル２１を下部筐体２０に施錠する鍵である。【００２０】  隔壁５０は、上部筐体１０の内部をメダル貯留タンク１１とメダル払出装置４０の収納部１５とに上下に分割するものであり、上部筐体１０の矩形上の内周から四方に張り出して形成された上枠５２と下枠５３とこの上枠５２と下枠５３に囲まれたメダル通過孔５１ならびに上枠５２と下枠５３との間に形成されたシャッター７０の差込空間５４とで構成されている。【００２１】  図３は、隔壁５０の部分を示した斜視図である。この図に示すように、上枠５２には、前枠（前とは、払出用フロントパネル１６方向を指す）端縁から直立に立ち上げ、その先端縁を前方に折曲した取り付片５５が形成されている。また、両側縁には、メダル通過孔５１の中心方向に下り傾斜した傾斜面５６が形成されている。更に、後端側には、上部筐体１０の裏板１７の内側からメダル通過孔５１方向に下り傾斜した傾斜プレート５７が設けられている。一方前述の取り付片５５には、取り付片５５からメダル通過孔５１方向に下り傾斜した緩衝プレートが取付けられている。【００２２】  一方、下枠５３には、メダル通過孔５１の一部を構成するメダル通過孔５１と略同一大きさの矩形の孔５１ａが形成されている。そして、下枠５３の下面には、メダル払出装置４０のホッパータンク４１が挿入される空間５３１が設けられている。【００２３】  また、前述の上枠５２と下枠５３との間には、シャッター７０の差込空間５４が形成されている。【００２４】  背板１８の収納部１５の上段部分に相当する部分には、縦長の矩形を成す制御ボックス４２を設けた裏蓋１７が脱着可能に取付けられている。そして、背板１８に裏蓋１７を取付けた状態で見て、制御ボックス４２の周囲には、制御ボックス４２の上方に背板１８から張り出すように前方に下り傾斜した上部滑降面１５１と制御ボックス４２の下部側方に前方に下り傾斜した側部滑降面１５２が背板１８から張り出すようにして形成されている。これらの上部滑降面１５１と側部滑降面１５２で滑降面を構成している。すなわち、制御ボックス４２の周囲は、滑降面（背板１８から張り出した上部滑降面１５１と側部滑降面１５２）で囲まれていることになる。【００２５】  このように構成されているメダル貸機１に貸出用のメダルを供給する場合には、まず、上部筐体１０のメダル貯留タンク１１の開口に取付けられている供給用フロントパネル１３の鍵を解錠して、供給用フロントパネル１３を手前に回転させ、メダル供給口１２の投入口１２１を上方に露出開放させる。そして、この投入口１２１からメダルを投入する。【００２６】  投入されたメダルは、メダ���供給口１２の傾斜面を滑降して、緩衝プレート５８に至る。そして、隔壁５０に形成されたメダル通過孔５１を通過してメダル払出装置４０のホッパータンク４１に供給される。ホッパータンク４１に供給されたメダルは、メダル貯留タンク１１の内部まで重積され、貯留センサー８０で容量が管理される。このとき、重積されたメダルは、緩衝プレート５８の作用により、メダル払出装置４０のホッパータンク４１に突出している回転部分（攪拌棒４５）に圧力が集中する状態が回避されているので、重積されたメダルの重みによって、駆動機構（モータ４３）に支障が生ずるのが防止されている。【００２７】  次に、メダルがホッパータンク４１まで貯留されている状態でシステムやメダル貸機１等に何らかの障害が発生して、メダル払出装置４０を取外す必要が生じた場合には、隔壁５０に形成された差込空間５４からシャッター７０（図２ｂ−ｂ、図３ｃ−ｃ）を差込んで、メダル通過孔５１を塞ぐことによって、メダル貯留タンク１１に貯留されているメダルがホッパータンク４１へ落下してくるのを遮断した後にメダル払出装置４０を収納部１５から取外してメダル払出装置４０や内部の不具合を修正した後に再度、収納部１５に復帰させシャッター７０（図２ｂ−ｂ、図３ｃ−ｃ）を引き抜き、メダル貯留タンク１１内のメダルをホッパータンク４１内に供給する。【００２８】  このような作業（メダル払出装置４０の脱着）を実施する際、例えば、シャッター７０を差込む際には、メダルがホッパータンク４１の上部から外へ押出されて収納部１５の内部に落下したり、メダル払出装置４０を取外す際にメダルをホッパータンク４１から外へこぼれさしたりして収納部１５の内部に落下させる場合がある。このような場合に、メダルが制御ボックス４２の上部や側部に入り込んだとしても、そのメダルは、上部滑降面１５１、側部滑降面１５２の傾斜に沿って収納部１５の前方に転がり出ることになる。
【図面の簡単な説明】
【００２９】
【図１】  本発明のメダル貸機を示した正面図である。
【図２】  本発明のメダル貸機を示した側面図である。
【図３】  隔壁部分斜視図である。
【符号の説明】
【００３０】１  メダル貸機
１０  上部筐体
１１  メダル貯留タンク
１１１  開口
１２  メダル供給口
１２１  投入口
１３  供給用フロントパネル
１４  鍵
１５  収納部
１５１  上部滑降面（滑降面）
１５２  側部滑降面（滑降面）
１６  払出用フロントパネル
１６１  払出部
１６２  制御部
１６３  不要メダル貯留部
１７  裏蓋
１８  背板
２０  下部筐体
２１  識別装置収納部フロントパネル
２２  鍵
３０  継ぎ手
４０  メダル払出装置
４１  ホッパータンク
４２  制御ボックス
４３  払出機
４４  駆動機構（モータ）
４５  攪拌棒
５０  隔壁
５１  メダル通過孔
５１ａ  矩形の孔
５２  上枠
５３  下枠
５３１  空間
５４  差込空間
５５  取り付片
５６  傾斜面
５７  傾斜プレート
５８  緩衝プレート
６０  紙幣識別装置
６１  制御部
７０  シャッター
８０  貯留センサー
【図１】
2008012253.tif 000003
【図２】
2008012253.tif 000004
【図３】
2008012253.tif 000005